(57)【要約】【課題】書見台に書籍を見開き状態で載置した時、左見開き部と右見開き部に段差が生じ、厚みの大きな見開き部の喉部に沿った領域に曲面が生じ読みづらくなる問題を解決する。【解決手段】書籍載置板（１）を左傾動方向に付勢する第一バネ手段（４ａ）と右傾動方向に付勢する第二バネ手段（４ｂ）を備え、上記両バネ手段（４ａ、４ｂ）の付勢力がバランスした状態で書籍載置板の姿勢を定常に保つ構造を有し、書籍（８）の左右見開き部（８ａ、８ｂ）の重量差により同載置板を上記両バネ手段の一方の付勢力に抗し且つ他方の付勢力に従い左傾動または右傾動せしめる構成とし、更に上記第一、第二バネ手段の付勢力調整手段として第一、第二バネ手段の一端に連結した牽引条体（９ａ）を巻取って同バネ手段（４ａ、４ｂ）を伸張せしめる巻取器（９）を設けた書見台。【選択図】図４
2008136840.tif 000002
【特許請求の範囲】
【請求項１】
書籍を見開き状態で載置し閲覧に供する書籍載置板を備え、書籍載置板を上記見開き方向において左傾動および右傾動が可能に支持するとともに、書籍載置板を左傾動方向に付勢する第一バネ手段と右傾動方向に付勢する第二バネ手段を備え、上記第一バネ手段の付勢力と第二バネ手段の付勢力とがバランスした状態で書籍載置板の姿勢を定常に保つ構造を有し、上記書籍載置板に見開き状態で載置した書籍の左見開き部と右見開き部の重量の差により同載置板を上記第一、第二バネ手段の一方の付勢力に抗し且つ他方の付勢力に従い左傾動または右傾動せしめる構成としたことを特徴とする書見台。
【請求項２】
上記書籍載置板に見開き状態で載置した書籍の背を押し上げる背当て材を付設したことを特徴とする請求項１の書見台。
【請求項３】
上記第一、第二バネ手段の一端に連結した牽引条体を巻取って同バネ手段を伸張せしめ付勢力を調整する巻取器を設けたことを特徴とする請求項１の書見台。
【発明の詳細な説明】
【技術分野】
【０００１】  本発明は、百科事典、辞書、学術研究書等の頁数が多い書籍を読みやすくする書見台に関するものである。
【背景技術】
【０００２】  従来の書見台には、書籍の天小口側を高くし地小口側を低くした仰角を有する載置板を採用するなどして読みやすくしているものがある。
【発明の開示】
【発明が解決しようとする課題】
【０００３】  本発明は従来の書見台で解消することができなかった書籍の左見開き部と右見開き部の段差と、書籍の喉部に沿った領域に生ずる曲面に起因する読み辛さを解決しようとするものである。
【課題を解決するための手段】
【０００４】  上記課題を解決する手段として、書籍を見開き状態で載置し閲覧に供する書籍載置板を備え、書籍載置板を上記見開き方向において左傾動および右傾動が可能に支持するとともに、書籍載置板を左傾動方向に付勢する第一バネ手段と右傾動方向に付勢する第二バネ手段を備え、上記第一バネ手段の付勢力と第二バネ手段の付勢力とがバランスした状態で書籍載置板の姿勢を定常に保つ構造を有し、上記書籍載置板に見開き状態で載置した書籍の左見開き部と右見開き部の重量の差により同載置板を上記第一、第二バネ手段の一方の付勢力に抗し且つ他方の付勢力に従い左傾動又は右傾動せしめる構成とし、更に上記第一第、二バネ手段に付勢力調整手段を付設した書見台を提供する。
【発明の効果】
【０００５】  前記のように頁数が多く厚みの大きな書籍を見開き状態で載置板に載置した場合、載置板は左見開き部と右見開き部の重量（厚み）の相対差により重量の重い方向へ左傾動又は右傾動し、左見開き部と右見開き部との厚みの差に起因する段差を上記右傾動又は左傾動によって解消する。この結果書籍の厚みの大きな見開き部の喉部に沿った曲面部が可及的に正対視した状態を形成でき、上記曲面部に印刷された文字、絵等を容易に読み取ることができ、更に第一、第二バネ手段に付勢力調整手段を付設することによって対象書籍の重量に応じ適切な付勢力を得ることができる。
【発明を実施するための最良の形態】
【０００６】  以下、本発明の実施の形態を図１乃至図８に基づいて説明する。【０００７】  図１乃至８における１は書籍を載置する載置板で、その左面板（１ａ）と右面板（１ｂ）の中間に位置する軸（６）にて左傾動又は右傾動が可能に支持されている。
再述すると、据付台（２）の上端中央部と下端中央部から支柱（３）を立ち上げ、該支柱（３）間に、載置板（１）の左面板（１ａ）と右面板（１ｂ）を均等に分かつ中心線上で該載置板（１）を軸支する。【０００８】  更に書籍載置板（１）を左傾動方向に付勢する第一バネ手段（４ａ）と右傾動方向に付勢する第二バネ手段（４ｂ）を備え、上記第一バネ手段（４ａ）の付勢力と第二バネ手段（４ｂ）の付勢力とがバランスした状態で書籍載置板（１）の姿勢が定常に保たれている（図１のＡ、図３のＡ、図５のＡ、図６のＡ、図７）。
図１のＡの例はバネ手段としてコイルバネに代表される引張バネ手段を用い、第一引張バネ手段（４ａ）の一端を左面板（１ａ）に連結し、同他端を据付台（２）の上記連結点と対応する位置に連結し、両連結点間において常時引張力を蓄えて載置板（１）に左傾動方向への引張力を与えている。
同様に、第二引張バネ手段（４ｂ）の一端を右面板（１ｂ）に連結し、同他端を据付台（２）の上記連結点と対応する位置に連結し、両連結点間において常時引張力を蓄えて載置板（１）に右傾動方向への引張力を与えている。【０００９】  図２のＡ、Ｂに示すように、上記載置板（１）に書籍（８）を見開き状態で載置し、書籍の左見開き部（８ａ）と右見開き部（８ｂ）の重量（厚み）に差異が生ずると、載置板（１）は第一、第二バネ手段（４ａ，４ｂ）の一方の付勢力に従い且つ他方の付勢力に抗しながら厚みが大で重量の重い方向へ左傾動（図２のＡ）又は右傾動（図２のＢ）する。
即ち図２のＡに示すように、左見開き部（８ａ）の厚みが大で重量が重い場合には第一バネ手段（４ａ）の付勢力に従い且つ第二バネ手段（４ｂ）の付勢力に抗し左傾動する。
同様に図２のＢに示すように、右見開き部（８ｂ）の厚みが大で重量が重い場合には第二バネ手段（４ｂ）の付勢力に従い且つ第一バネ手段（４ａ）の付勢力に抗し右傾動する。【００１０】  よって書籍（８）の厚みの差によって本来生ずべき左見開き部（８ａ）と右見開き部（８ｂ）の段差（図１のＢのＬ）が前記右傾動又は左傾動によって解消され、その結果、図２に示す通り左見開き部又は右見開き部の喉部に沿った曲面部（８ｃ）が可及的に正対視した状態を形成でき、上記曲面部に印刷された文字、絵等を容易に読み取ることができる。【００１１】  図３、図４は上記図１のＡ、図２に示した事例に付勢力調整手段として巻取器（９）を付加した例である。該巻取器（９）は第一、第二バネ手段（４ａ，４ｂ）の一端をそれぞれ巻取り又は巻出して伸張量を変更し付勢力を調整する付勢力調整手段の一例であり、対象書籍（８）の重量に応じ適切な付勢力を得ようとするものである。
再述すると、第一、第二バネ手段（４ａ，４ｂ、コイルバネ）の一端に牽引条体（９ａ）を連結し、該牽引条体（９ａ）の他端を据付台（２）のそれぞれ対応する位置に取り付けた一対の巻取器（９）の巻取軸（９ｂ）各々に巻取り巻出し可に連結し、ダイヤル（９ｃ）の各々を同量回動することによって牽引条体（９ａ）の巻取量を変更して第一、第二バネ手段（４ａ、４ｂ）の伸張量を変更し、双方の付勢力の強弱を調整することができる。【００１２】  図５乃至図８は、前記図３、図４の例と同様に第一、第二バネ手段（４ａ、４ｂ）としてコイルバネに代表される引張バネ手段を用い、書籍（８）の左見開き部（８ａ）と右見開き部（８ｂ）の重量に差異が生じた時に起こる両見開き部（８ａ、８ｂ）の段差（図１のＢのＬ）を解消し、且つ第一、第二バネ手段（４ａ、４ｂ）の伸張量を変更し双方の付勢力の強弱を調整する方法の他例を示したものである。但し該他例は第一、第二バネ手段の巻取器（９）各々を据付台（２）に付設した図３乃至図４の例と異なり、巻取器（９）を両バネ手段（４ａ、４ｂ）共用として一体化し、該巻取器（９）を支柱（３）に取り付けることによって載置板（１）を左傾動又は右傾動させ、かつ対象書籍（８）の重量に応じて両バネ手段（４ａ、４ｂ）の付勢力を同時に調整する場合を例示したものである。【００１３】  図５の例では、載置板の中央を支持する支柱（３）に共用の巻取器（９）を取り付け、該巻取器（９）に第一、第二バネ手段（４ａ，４ｂ）の一端に連結した牽引条体（９ａ）を巻取軸（９ｂ）に一緒に連結し、ダイヤル（９ｃ）を回動することによって牽引条体（９ａ）の巻取量を変更して第一、第二バネ手段（４ａ，４ｂ）の伸張量を変更し、双方の付勢力の強弱を同時に調整することができる。【００１４】  また、図６、図７、図８は巻取器（９）と滑車（１０）によって第一、第二バネ手段の一端を同時に巻取り又は巻出して伸張量を変更し、付勢力を調整する場合を例示したものであり、滑車（１０）を使用することで載置板（１）と据付台（２）の距離をより短くした場合、即ち支柱（３）の高さをより低くした場合にも載置板（１）の左傾動、右傾動に必要な牽引条体（ａ’）の長さを維持することができる。
再述すると、図６、図７の例は図５の例と同様に第一、第二バネ手段（４ａ，４ｂ、コイルバネ）の一端に連結した牽引条体（９ａ）を、支柱（３）に取り付けた共用の巻取器（９）の巻取軸（９ｂ）に巻取り巻出し可に連結すると共に、図６においては第一、第二バネ手段（４ａ，４ｂ）の他端に連結した牽引条体（９ａ’）を、載置板（１）のそれぞれ対応する位置に取り付けた滑車（１０）を経由して据付台（２）に連結固定し、図７においては第一、第二バネ手段（４ａ，４ｂ）の他端に連結した牽引条体（９ａ’）を、据付台（２）のそれぞれ対応する位置に取り付けた滑車（１０）を経由して載置板（１）に連結固定した場合を例示おり、図６の例では第一、第二バネ手段（４ａ，４ｂ）を載置板（１）の下面に横設し、図７の例では第一、第二バネ手段（４ａ，４ｂ）を据付台（２）の上面に横設する。
図６、図７何れの場合も、ダイヤル（９ｃ）を回動することによって牽引条体（９ａ）の巻取量を変更して第一、第二バネ手段（４ａ，４ｂ）の伸張量を変更し、双方の付勢力の強弱を同時に調整することができる。【００１５】  更に図８に示すように載置板（１）と支柱（３）の軸支部分に載置板（１）、支柱（３）、巻取軸（９ｂ）の３点を接続する接続具（１１）を使用することによって巻取軸（９ｂ）と載置板（１）の右傾動、左傾動の軸（６）を一体化することができる。【００１６】  尚、図３乃至図８に示した巻取器（９）には巻取軸（９ｂ）を所定の巻取位置でロックする手段を付設する。例えば図３のＢ、Ｃに示すように、ダイヤル（９ｃ）を後退させることにより、巻取器（９）の背面に設けた凸部（９ｄ）を巻取器支持ブラケット（９ｅ）に設けた複数の凹部（９ｆ）から脱出せしめ牽引条体（９ａ）の巻取り巻出しを行い、再び前進せしめて対応する他の凹部（９ｆ）に係合させ、巻取軸（９ｂ）の巻取位置を保持できるようにする。
図５、図６、図７は、複数の凹部（９ｆ）を有した支柱（３）を前記巻取器支持ブラケット（９ｅ）として併用し、巻取軸（９ｂ）の巻取位置を保持できるようにした例である。
図８は支柱（３）の凸部（９ｈ）を巻取器（９）背面の複数の凹部（９ｇ）の一つに係合させ巻取軸（９ｂ）の巻取位置を保持できるようにした例である。
尚巻取軸（９ｂ）の巻取位置を保持する手段としてラチェット歯車を使用しても同様の効果を得ることができる。但し、該巻取軸（９ｂ）は巻取り巻出し両方向の回転を要するため、巻出し時には歯車に係合した歯止め又は爪を歯車から解放して巻出しを行う。【００１７】  また図示は省略するが、本発明は上記バネ手段の他例としてゴム紐等の伸縮可能な部材、或いは加圧コイルバネ、板バネ、ピストン式ガススプリング又は油圧スプリング等の加圧バネ手段を第一、第二バネ手段（４ａ、４ｂ）として用い、第一バネ手段で載置板（１）の左右面板の一方を左傾動方向又は右傾動方向に付勢し、第二バネ手段で左右面板の他方を右傾動方向又は左傾動方向に付勢し、第一、第二バネ手段の付勢力がバランスした状態で載置板（１）が左傾動も右傾動もしない定常状態を保つ場合を包含する。【００１８】  更に、図１のＡ、図２、図３のＡ、図４、図５のＡ、図６のＡ、図７、図８に示すように載置板の中央部に背当て材（５）を付設することにより、書籍の背の持ち上げ効果をより高めることができる。
具体例として、上部が凸曲面（５ａ）の細巾の枕状定規材（背当て材５）を載置板（１）の中央軸線に沿って延設し、見開いた書籍（８）の背の曲面を枕状定規材の凸曲面（５ａ）で支持する。この枕状定規材、即ち背当て材（５）は書籍の見開き線（喉線）を載置板（１）の左面板（１ａ）と右面板（１ｂ）を均等に分かつ中心線上に位置決めする。【００１９】  更に、載置板の表面に摩擦抵抗を有するゴムシート等を添付することによって載置板の右傾動時及び左傾動時の書籍の横ずれ防止効果を持たせることができる。【００２０】  更に、載置板（１）に勾配（仰角）を持たせることによって更に読みやすさを高めることができる。この場合、載置板（１）の下辺に書籍の地小口面を支える面板を付設することで書籍の縦ずれを防止することができる。
【図面の簡単な説明】
【００２１】
【図１】（Ａ）は本発明の実施形態を示す書見台の正面図、（Ｂ）は同書見台を使用しない場合の書籍の正面図。
【図２】（Ａ）は書籍を見開き状態で載置した場合の正面図（左重量付加）、（Ｂ）は書籍を見開き状態で載置した場合の正面図（右重量付加）。
【図３】（Ａ）は巻取器を付設した書見台の正面図、（Ｂ）は巻取器側面図（巻取軸回動時）、（Ｃ）は巻取器側面図（巻取軸ロック時）。
【図４】（Ａ）は巻取器を付設した同書見台に書籍を見開き状態で載置した場合の正面図（左重量負荷）、（Ｂ）は巻取器を付設した同書見台に書籍を見開き状態で載置した場合の正面図（右重量負荷）。
【図５】（Ａ）は同書見台にバネ手段の付勢力同時調整手段を付加した場合の正面図、（Ｂ）は付勢力同時調整手段側面図（巻取軸回動時）、（Ｃ）は付勢力同時調整手段側面図（巻取軸ロック時）。
【図６】（Ａ）は滑車を付加した付勢力同時調整手段を載置板下面に付設した場合の正面図、（Ｂ）は滑車を付加した付勢力同時調整手段を載置板下面に付設した場合の斜視図。
【図７】滑車を付加した付勢力同時調整手段を据付台上面に付設した場合の正面図。
【図８】（Ａ）は滑車を付加し、載置板の軸と付勢力同時調整手段の巻取軸を一体化した場合の断面図、（Ｂ）は滑車を付加し、載置板の軸と付勢力同時調整手段の巻取軸を一体化した場合の斜視図。
【符号の説明】
【００２２】１      載置板、
１ａ    載置板の左面板
１ｂ    載置板の右面板
２      据付台
３      支柱
４      バネ手段、
４ａ    第一バネ手段
４ｂ    第二バネ手段
５      背当材、
５ａ    背当て材凸曲面
６      軸
８      書籍、
８ａ    書籍左見開き部
８ｂ    書籍右見開き部
８ｃ    書籍曲面部
９      巻取器、
９ａ    牽引条体（バネ手段と巻取器連結用）
９ａ’  牽引条体（バネ手段と載置板又はバネ手段と据付台連結用）
９ｂ    巻取軸
９ｃ    ダイヤル
９ｄ    巻取器背面凸部
９ｅ    巻取器支持ブラケット
９ｆ    巻取器支持ブラケット凹部又は支柱凹部
９ｇ    巻取器背面凹部
９ｈ    支柱凸部
１０    滑車
１１    接続具
Ｌ      書籍見開き部段差
【図１】
2008136840.tif 000003
【図２】
2008136840.tif 000004
【図３】
2008136840.tif 000005
【図４】
2008136840.tif 000006
【図５】
2008136840.tif 000007
【図６】
2008136840.tif 000008
【図７】
2008136840.tif 000009
【図８】
2008136840.tif 000010